(57)【要約】【課題】  被露光媒体に形成された画像についてプレスキャン倍率で読み取りを行った後に当該プレスキャン倍率以外の倍率で当該画像を副走査方向のずれなく高品質に読み取ることができる、画像読取装置を提供する。【解決手段】  フィルムスキャナ１０は、プレスキャンと本スキャンとでプレスキャン倍率から本スキャン倍率へとズームレンズ２２ａの倍率を変更可能に構成される。プレスキャン倍率で本スキャンを行わない場合、プレスキャン倍率でのフォーカス調整の際に読み取った三角形孔４４ａ，４４ｂの像のラインＣＣＤセンサ２６上の位置と本スキャン倍率でのフォーカス調整の際に読み取った三角形孔４４ａ，４４ｂの像のラインＣＣＤセンサ２６上の位置との副走査方向のずれ量Ｃａに基づいて本スキャンを行う際にラインＣＣＤセンサ２６の読み取り開始タイミングを補正する。【選択図】      図７
2005252751.tif 000002
【特許請求の範囲】
【請求項１】
露光位置にある被露光媒体に向けて光を発する光源手段、
主走査方向に光を走査し電気信号として読み取る光電変換手段、および
複数のレンズを含むズームレンズと前記複数のレンズの位置関係を変更するズーム機構とを含み前記被露光媒体の像を前記光電変換手段上にプレスキャン倍率を含む複数の倍率で投影可能な結像手段を備え、
前記光電変換手段に投影可能な被写体が形成された調整治具を前記露光位置に配置して各倍率毎に前記光電変換手段に投影される前記被写体の像の結像状態に基づいて前記光電変換手段上で焦点が合うように前記複数のレンズの位置関係を調整しフォーカス調整を行う画像読取装置であって、
前記被露光媒体に形成された１つの画像について前記プレスキャン倍率で読み取りを行った後に前記プレスキャン倍率以外の倍率で読み取りを行う場合、前記プレスキャン倍率でのフォーカス調整の際に読み取った前記被写体の像の前記光電変換手段上の位置と前記プレスキャン倍率以外の倍率でのフォーカス調整の際に読み取った前記被写体の像の前記光電変換手段上の位置との副走査方向のずれ量に基づいて前記プレスキャン倍率以外の倍率で前記被露光媒体から画像の読み取りを行う際に副走査方向の読み取り開始位置を補正することを特徴とする、画像読取装置。
【発明の詳細な説明】
【技術分野】
【０００１】
この発明は画像読取装置に関し、より特定的には、プレスキャンと本スキャンとでズームレンズの倍率を変更可能な画像読取装置に関する。
【背景技術】
【０００２】
従来から、画像読取装置として、被露光媒体の一例である写真用のフィルムから画像を読み取るフィルムスキャナ等が知られている。フィルムスキャナでは、フィルムに向けて光源部から光を発し、ズームレンズ等を用いたレンズユニットによってフィルムの像をラインＣＣＤセンサ等に投影する。レンズユニットにズームレンズを用いるフィルムスキャナでは、ボールネジ等を用いたズーム機構によってズームレンズを構成する複数のレンズの位置関係を変更し、ラインＣＣＤセンサ上に投影する像の大きさ（倍率）を変更する。レンズユニットによって投影される像（光）をラインＣＣＤセンサが主走査方向に走査し、電気信号に変換することによってフィルムに形成された画像（コマ画像）を読み取る。
【０００３】
このようなフィルムスキャナでは、本スキャンに先立ってプレスキャンが行われる。プレスキャンで読み取ったプレスキャン画像（ＰＪＰ画像）を用いて読み取り領域を設定し、当該読み取り領域についてフィルムの本スキャンが行われ、ハードディスクやＣＤ−Ｒ等のメディアに本スキャン画像が記録される。
【０００４】
プレスキャン画像は画質の判定や設定および補正用の画像であるので、本スキャン画像に比べて低画質に読み取ってもよい。したがって、プレスキャンのズームレンズの倍率（プレスキャン倍率）を本スキャンのズームレンズの倍率（本スキャン倍率）よりも低く設定しひいてはラインＣＣＤセンサ上への投影面積を小さくし、効率よくプレスキャンを行うことが望ましい。
【０００５】
プレスキャンと本スキャンとでズームレンズの倍率を変更すると、複数のレンズの位置関係を変更するズーム機構の動作精度の問題から、図９（ａ）および図９（ｂ）に示すように、主走査方向および副走査方向またはそのいずれか一方向について、プレスキャンの光軸（ラインＣＣＤセンサに投影される像（光）の中心軸）Ｆ１の位置と本スキャンの光軸Ｆ２の位置とに一定のずれが生じる場合がある。その結果、プレスキャン画像において設定した読み取り領域内の画像（図１０に示す画像３に相当）に対して本スキャン画像内の画像（図１０に示す画像３ａに相当）には主走査方向および副走査方向またはそのいずれか一方向に一定のずれが生じる場合がある。
【０００６】
読み取り領域内の画像に対して本スキャン画像内の画像に主走査方向のずれが生じる場合、たとえば、特許文献１に開示される技術を適用して、光軸Ｆ１と光軸Ｆ２との主走査方向のずれ量を予め登録しておき、当該ずれ量に基づいて読み取り領域の位置を調整して本スキャンを行うことによってずれを補正（エリア登録補正）することができる。
【０００７】
また、図１０に示すように、プレスキャン画像１の読み取り領域２内の画像３に対して本スキャン画像４内の画像３ａに副走査方向のずれ（ここではずれ量Ｄ１）が生じる場合、図１１に示すように、読み取り領域２の副走査方向の寸法よりも本スキャン画像４ａの副走査方向の寸法が長くなるように本スキャンを行う。そして、図１１に示すように、読み取り領域２内における画像３の位置とトリミング領域５内における画像３ａの位置とが一致するように、本スキャン画像４ａにトリミング（切り出し）を施すことで対処していた。
【特許文献１】特開２００３−３０４３７９号
【発明の開示】
【発明が解決しようとする課題】
【０００８】
しかし、この場合、読み取った本スキャン画像にさらにトリミングを施さなければならず、本スキャン後の処理工程が増えてしまうという問題があった。
【０００９】
また、図１１に示すように、トリミングを施すことで対処しても、たとえば、読み取り領域２内の位置Ｚ１で補正（傷消し等）したい場合、画像３から位置Ｚ１までの距離と画像３ａから位置Ｚ１までの距離とにはずれ量Ｄ１の差が生じ、言い換えれば、読み取り領域２内の位置Ｚ１とトリミング領域５内の位置Ｚ１とにはずれ量Ｄ１の差が生じ、所望の位置で補正を行えず、その結果、高品質な画像を得られないという問題があった。
【００１０】
それゆえに、この発明の主たる目的は、被露光媒体に形成された画像についてプレスキャン倍率で読み取りを行った後に当該プレスキャン倍率以外の倍率で当該画像を副走査方向のずれなく高品質に読み取ることができる、画像読取装置を提供することである。
【課題を解決するための手段】
【００１１】
上述の目的を達成するために、請求項１に記載の画像読取装置は、露光位置にある被露光媒体に向けて光を発する光源手段、主走査方向に光を走査し電気信号として読み取る光電変換手段、および複数のレンズを含むズームレンズと複数のレンズの位置関係を変更するズーム機構とを含み被露光媒体の像を光電変換手段上にプレスキャン倍率を含む複数の倍率で投影可能な結像手段を備え、光電変換手段に投影可能な被写体が形成された調整治具を露光位置に配置して各倍率毎に光電変換手段に投影される被写体の像の結像状態に基づいて光電変換手段上で焦点が合うように複数のレンズの位置関係を調整しフォーカス調整を行う画像読取装置であって、被露光媒体に形成された１つの画像についてプレスキャン倍率で読み取りを行った後にプレスキャン倍率以外の倍率で読み取りを行う場合、プレスキャン倍率でのフォーカス調整の際に読み取った被写体の像の光電変換手段上の位置とプレスキャン倍率以外の倍率でのフォーカス調整の際に読み取った被写体の像の光電変換手段上の位置との副走査方向のずれ量に基づいてプレスキャン倍率以外の倍率で被露光媒体から画像の読み取りを行う際に副走査方向の読み取り開始位置を補正することを特徴とする。
【００１２】
請求項１に記載の画像読取装置では、被露光媒体に形成された１つの画像についてプレスキャン倍率で読み取りを行った後にプレスキャン倍率以外の倍率で読み取りを行う場合、プレスキャン倍率でのフォーカス調整の際に読み取った被写体の像の光電変換手段上の位置とプレスキャン倍率以外の倍率でのフォーカス調整の際に読み取った被写体の像の光電変換手段上の位置との副走査方向のずれ量に基づいてプレスキャン倍率以外の倍率で被露光媒体から画像の読み取りを行う際に副走査方向の読み取り開始位置を補正する。したがって、被露光媒体に形成された画像についてプレスキャン倍率で読み取りを行った後に当該プレスキャン倍率以外の倍率で当該画像を副走査方向のずれなく高品質に読み取ることができる。
【００１３】
また、ズームレンズによって光電変換手段上に与える像（光）の光軸は、プレスキャン倍率とプレスキャン倍率以外の倍率とで副走査方向について厳密に一致していなくてもよく、ズーム機構の動作精度を緩和できる。
【００１４】
さらに、たとえば、被露光媒体の副走査方向の位置を検出する位置センサ等を設けて副走査方向の読み取り開始位置を補正することも考えられるが、プレスキャン倍率でのフォーカス調整の際に読み取った被写体の像の光電変換手段上の位置とプレスキャン倍率以外の倍率でのフォーカス調整の際に読み取った被写体の像の光電変換手段上の位置との副走査方向のずれ量に基づいて読み取り開始位置を補正するので、画像読取装置の構成を複雑にすることもない。
【００１５】
なお、「プレスキャン倍率」とは、プレスキャンを行う際に用いられるズームレンズの倍率をいう。
【発明の効果】
【００１６】
この発明によれば、被露光媒体に形成された画像についてプレスキャン倍率で読み取りを行った後に当該プレスキャン倍率以外の倍率で当該画像を副走査方向のずれなく高品質に読み取ることができる。
【発明を実施するための最良の形態】
【００１７】
以下、図面を参照して、この発明の実施の形態について説明する。
図１を参照して、この発明の一実施形態のフィルムスキャナ１０は、光源手段である光源部１２を含む。
【００１８】
光源部１２には、たとえばハロゲンランプやＬＥＤ（Light Emitting Diode）等の発光体が用いられる。光源部１２は、下方に配置されるフィルムキャリア１４に向けて光を発する。
【００１９】
フィルムキャリア１４は、被露光媒体の一例である写真用のフィルムＦを配置し、図示しないローラ等の搬送手段によって、フィルムＦを矢印Ａ方向（副走査方向）に所定の搬送速度で搬送する。また、フィルムキャリア１４は、チャート（図形）が形成されるフォーカスチャートＦＣ（図１においては破線で示す）を配置可能に構成される。
【００２０】
図２を参照して、フィルムキャリア１４の搬送経路には、フィルムＦの矢印Ｂ方向（主走査方向）の両端部を支持するようにベース面１６が形成される。また、フィルムキャリア１４には、底面１７を貫通して矢印Ｂ方向に延びるスリット１８が形成される。光源部１２から発せられる光はスリット１８を通過する。
【００２１】
フィルムＦは、画像形成面（乳剤面）が下向きとなるようにベース面１６上に配置され、矢印Ａ方向に搬送されつつ、スリット１８を通過した光を受ける。つまり、スリット１８の上方かつベース面１６と等しい高さの位置が露光位置となる。
【００２２】
また、フィルムキャリア１４には、十字状の輪郭形状に形成されるフォーカスチャートＦＣのベース面１６上での動きを規制し、フォーカスチャートＦＣを露光位置に配置するために、スリット１８を中心としてベース面１６を矢印Ｂ方向に広げるように段部２０ａ，２０ｂが形成される。
【００２３】
このようなフィルムキャリア１４は、フィルムスキャナ１０から取り外し可能に構成される。フィルムスキャナ１０では、フィルムキャリア１４を取り替えることによって、矢印Ｂ方向の寸法が異なる複数種類の写真フィルムＦからコマ画像を読み取り可能となる。具体的に、フィルムスキャナ１０は、１３５，２４０，１１０，１２０フィルムの搬送に対応するフィルムキャリア１４を取り付け可能に構成される。また、フィルムスキャナ１０は、１枚につき１つのコマ画像が形成される単票（スライド）形式のフィルムＦが取り付けられた図示しないＭＭＣ，ＡＭＣ，ＭＦＣアタッチメントの搬送に対応するフィルムキャリア１４を取り付け可能に構成される。
【００２４】
各フィルムキャリア１４は、それぞれ搬送するフィルムＦまたはアタッチメントの矢印Ｂ方向の寸法に対応するように底面１７およびスリット１８が形成される。
なお、図２においては、フィルムＦとして１３５フィルムの搬送に対応するフィルムキャリア１４が示されている。
【００２５】
図１に戻って、フィルムキャリア１４の下方には、結像手段としてレンズユニット２２が配置される。フィルムキャリア１４の露光位置に配置されるフィルムＦを透過した光は、レンズユニット２２のズームレンズ２２ａによって結像され、ＣＣＤユニット２４のラインＣＣＤセンサ２６上に像として投影される。
【００２６】
レンズユニット２２は、光軸Ｌに沿って移動可能な図示しない複数のレンズによって構成されるズームレンズ２２ａを含む。また、レンズユニット２２は、ボルトネジ等によってズームレンズ２２ａを構成する複数のレンズをそれぞれ移動させるズーム機構２２ｂを含む。ズーム機構２２ｂを駆動することによって、ズームレンズ２２ａを構成する複数のレンズの位置関係が変更され、ズームレンズ２２ａの倍率ひいてはラインＣＣＤセンサ２６上に投影される像の大きさが変更される。レンズユニット２２の制御は、レンズ制御部２８によって行われる。
【００２７】
レンズ制御部２８は、レンズユニット２２から取得したズームレンズ２２ａを構成する複数のレンズの位置情報等を一時的に記憶するレンズ制御メモリ２８ａとズーム機構２２ｂを駆動させるための図示しないパルスモータ等とを含む。レンズ制御部２８は、レンズ制御メモリ２８ａに記憶される情報に基づいてレンズユニット２２を制御する。
【００２８】
ＣＣＤユニット２４は、光電変換手段であるラインＣＣＤセンサ２６と図示しないＡ／Ｄ変換器とを含む。ラインＣＣＤセンサ２６の受光面には、ＣＣＤ素子２６ａ，２６ｂ，２６ｃが矢印Ａ方向に配置される。ＣＣＤ素子２６ａ，２６ｂ，２６ｃは、それぞれ、赤色（Ｒ）光、緑色（Ｇ）光、青色（Ｂ）光に対応し、矢印Ｂ方向（図２参照）に多数（たとえば５０００個）配列され、受けた光をアナログデータに変換して出力する。
【００２９】
ラインＣＣＤセンサ２６は、フィルムＦの搬送速度に対応する予め定められた読み取り開始タイミングで投影されるコマ画像の像（光）の変換を開始し、投影されるコマ画像の像を所定のタイミングで矢印Ｂ方向に繰り返し走査する。これによって、フィルムキャリア１４上を搬送されるフィルムＦに形成された１つのコマ画像全体をアナログデータに変換する。
【００３０】
Ａ／Ｄ変換器は、ラインＣＣＤセンサ２６から出力されたアナログデータをデジタルデータに変換して出力する。
【００３１】
ＣＣＤユニット２４から出力されるデジタルデータは画像処理部３０に入力され、画像処理部３０で階調変換や色変換等の所定の処理が施された後、画像データとして出力される。画像処理部３０から出力される画像データは、システム制御部３２に入力される。
【００３２】
システム制御部３２は、各種プログラムや制御用データ等を記憶する図示しないハードディスクドライブ（ＨＤＤ：ハードディスクを含む）を含み、画像処理部３０から出力される画像データをＨＤＤに記憶する。ＨＤＤに記憶された画像データは、たとえば図示しないプリント装置に出力され、当該画像データに基づく画像が印画紙等に形成される。
【００３３】
この実施形態では、システム制御部３２のＨＤＤ内に図４および図７に示す動作を行うためのプログラムが記憶されている。当該プログラムをシステム制御部３２が読み出して実行することにより、処理が行われる。
【００３４】
また、システム制御部３２にはＣＲＴ等の表示部３４が接続され、画像処理部３０から出力される画像データはシステム制御部３２を介して表示部３４にフィルムＦに形成されたコマ画像として表示される。
【００３５】
また、システム制御部３２にはＣＤ−Ｒドライブ等のデータ書き込み装置３６が接続され、画像処理部３０から出力される画像データはシステム制御部３２を介してデータ書き込み装置３６に入力される。データ書き込み装置３６は、入力された画像データを対応するＣＤ−Ｒ等のデータ記憶媒体３８に書き込む。
【００３６】
なお、システム制御部３２のＨＤＤに記憶されている画像データをデータ書き込み装置３６によってデータ記憶媒体３８に書き込むこともできる。
【００３７】
さらに、システム制御部３２にはキーボードやマウス等の入力部４０が接続され、入力部４０から種々の設定やデータ入力等が行われる。システム制御部３２は、入力部４０から入力される情報やフィルムスキャナ１０の各構成要素から入力される情報に基づき、フィルムスキャナ１０の動作を制御する。
【００３８】
ここで、表１を参照して、１３５，２４０，１１０，１２０フィルムおよびＭＭＣ，ＡＭＣ，ＭＦＣアタッチメントからコマ画像を読み取る際に用いられるズームレンズ２２ａの倍率について説明する。
【００３９】
【表１】
2005252751.tif 000003
【００４０】
表１において、二重丸が付されたズームレンズ２２ａの倍率は、各フィルムＦまたは各アタッチメントからコマ画像を読み取る際に、それぞれプレスキャンに用いられるズームレンズ２２ａの倍率（プレスキャン倍率）である。
【００４１】
また、一重丸が付されたズームレンズ２２ａの倍率は、各フィルムＦまたは各アタッチメントからコマ画像を読み取る際に、それぞれ本スキャンに用いることができるズームレンズ２２ａの倍率（本スキャン倍率）である。なお、プレスキャン倍率で本スキャンを行ってもよい。
【００４２】
フィルムＦとして１２０フィルムからコマ画像を読み取る際には、プレスキャンまたは本スキャンのいずれの場合であっても、プレスキャン倍率（０．６２１倍）のみが用いられる。
【００４３】
ＭＦＣアタッチメントに取り付けられた単票形式のフィルムＦからコマ画像を読み取る際には、ＭＦＣアタッチメントの種類に応じて０．６２１倍と０．７８９倍とがプレスキャン倍率として使い分けられる。
【００４４】
表１に示す各フィルムＦおよび各アタッチメントをそれぞれ搬送する各フィルムキャリア１４毎に対応するフォーカスチャートＦＣが準備される。フォーカスチャートＦＣを用いて各フィルムキャリア１４毎に表１に示すズームレンズ２２ａのプレスキャン倍率および全ての本スキャン倍率について、ラインＣＣＤセンサ２６上に投影される像の結像状態を確認し、ズームレンズ２２ａのフォーカス（焦点）調整が行われる。
【００４５】
ついで、図３を参照して、調整治具としてフォーカス調整に用いられるフォーカスチャートＦＣについて詳しく説明する。
図３に示すように、厚み０．０２ｍｍ程度の金属製薄板からなるフォーカスチャートＦＣは、十字状の輪郭形状に形成される。フォーカスチャートＦＣには、ラインＣＣＤ２６上に投影する像の被写体として多数（ここでは１１個）の矩形孔４２および２つの三角形孔４４ａ，４４ｂが貫通して形成される。なお、非透光性の材料であれば、フォーカスチャートＦＣに用いられる材料は特に限定されない。
【００４６】
多数の矩形孔４２は、フォーカスチャートＦＣの中心から矢印Ｂ方向に延びるように配列される。２つの三角形孔４４ａ，４４ｂは同一の形状および大きさに形成され、フォーカスチャートＦＣの中心からみて矢印Ｂ方向に対称かつ辺４６ａ，４６ｂが矢印Ａ方向と矢印Ｂ方向との双方に対して斜めになるようにそれぞれ配置される。２つの三角形孔４４ａ，４４ｂにおいて、辺４６ａ，４６ｂと矢印Ｂ方向に延びる辺４８ａ，４８ｂとはそれぞれ１６°で交わり、辺４８ａ，４８ｂと辺５０ａ，５０ｂとはそれぞれ９０°で交わる。
【００４７】
このようなフォーカスチャートＦＣがフィルムキャリア１４の露光位置に配置される。詳しくは、図２に示すように、各辺の頂点と段部２０ａ，２０ｂの角部とが一致するようにフォーカスチャートＦＣがベース面１６上に配置される。各辺の頂点と段部２０ａ，２０ｂの角部とを一致させることによって、フォーカスチャートＦＣが露光位置に正確に位置決めされる。
【００４８】
露光位置にフォーカスチャートＦＣが配置された状態では、スリット１８は、図３に破線で示す位置で多数の矩形孔４２および２つの三角形孔４４ａ，４４ｂと対向する。
【００４９】
なお、図３では、フィルムＦとして１３５フィルムを搬送するフィルムキャリア１４に対応するフォーカスチャートＦＣが示されている。フィルムスキャナ１０に取り付け可能な各フィルムキャリア１４に対応するいずれのフォーカスチャートＦＣにおいても、矩形孔４２と２つの三角形孔４４ａ，４４ｂはそれぞれ同一の形状および大きさに形成される。また、露光位置に配置された状態では、いずれのフォーカスチャートＦＣにおいても矩形孔４２および三角形孔４４ａ，４４ｂとスリット１８との矢印Ａ方向の位置関係は同様となる。
【００５０】
また、矩形孔４２の数については、フィルムキャリア１４の底面１７およびスリット１８の矢印Ｂ方向の寸法に応じて変更してもよい。
【００５１】
ついで、図４を参照して、このようなフォーカスチャートＦＣを用いたフィルムスキャナ１０のフォーカス調整について説明する。ここではフィルムＦとして１３５フィルムを搬送するフィルムキャリア１４をフィルムスキャナ１０に取り付け、当該フィルムキャリア１４に対応するフォーカスチャートＦＣ（図３参照）を用いる場合について説明する。また、１３５フィルムのプレスキャン倍率（０．６２１倍：表１参照）でフォーカス調整を行うものとする。
【００５２】
まず、フォーカスチャートＦＣが露光位置に配置され、光源部１２から光が発せられる。フォーカスチャートＦＣおよびスリット１８を通過した光は、レンズユニット２２によって結像され、多数の矩形孔４２および２つの三角形孔４４ａ，４４ｂの像としてラインＣＣＤセンサ２６上に投影される（ステップＳ１）。つづいて、フォーカス調整エラーか否かが判断される（ステップＳ３）。
【００５３】
ステップＳ３の判断では、ステップＳ１の処理においてラインＣＣＤセンサ２６のＧ光を読み取るＣＣＤ素子２６ｂに像（光）が与えられていない場合、フィルムキャリア１４およびラインＣＣＤセンサ２６またはそのいずれか一方が光軸Ｌ（図１参照）に対して適性に配置されていないと判断されフォーカス調整エラーとなる。
【００５４】
フォーカス調整エラーである場合、フィルムキャリア１４およびラインＣＣＤセンサ２６またはそのいずれか一方の取り付け状態が光軸Ｌに対して適性に配置されるように修正され（ステップＳ５）、ステップＳ１へ戻る。
【００５５】
フォーカス調整エラーでない場合、ラインＣＣＤセンサ２６上に投影される像の結像状態（合焦状態）を確認するためのグラフが表示部３４に表示される（ステップＳ７）。
【００５６】
ステップＳ７の処理では、たとえば図５で示すように、ラインＣＣＤセンサ２６の矢印Ｂ方向の幅寸法を横軸とし、ＣＣＤユニット２４から出力される出力値（光強度の値）を縦軸とするグラフが表示される。当該グラフ上には、多数の矩形孔４２を通過した光を結像した像の光強度を示す多数の図形５２と２つの三角形孔４４ａ，４４ｂを通過した光を結像した像の光強度を示す２つの図形５４ａ，５４ｂとが表示される。
【００５７】
なお、図５では、ラインＣＣＤセンサ２６上でフォーカスが合っていない場合の図形５２および図形５４ａ，５４ｂが実線で示され、ラインＣＣＤセンサ２６上でフォーカスが合っている場合、言い換えればラインＣＣＤセンサ２６上に投影される多数の矩形孔４２および２つの三角形孔４４ａ，４４ｂの像の光強度が最も強くなる場合の図形５２および図形５４ａ，５４ｂが破線で示されている。ラインＣＣＤセンサ２６上でフォーカスが合っていなければ、グラフ上の図形５２および図形５４ａ，５４ｂの間隔が狭くなり、その高さも低くなる。
【００５８】
つづいて、ズームレンズ２２ａの調整（ステップＳ９）が行われる。
ステップＳ９の処理では、図５において破線で示すように、多数の図形５２および２つの図形５４ａ，５４ｂの高さが最も高くなるように、言い換えればラインＣＣＤセンサ２６上で焦点が合うように、レンズ制御部２８のパルスモータを回転させズーム機構２２ｂを駆動し、ズームレンズ２２ａを構成する複数のレンズの位置関係が調整される。
【００５９】
つづいて、図６（ａ）に示す距離Ｘが算出される（ステップＳ１１）。
ステップＳ１１の処理では、図６（ｂ）に示すように、三角形孔４４ａを用いて矢印Ｂ方向に配列される多数のＣＣＤ素子２６ｂによって読み取られる光の矢印Ｂ方向の寸法ＧＬａ１が取得される。寸法ＧＬａ１×ｔａｎ１６°を計算することによって、頂点Ｔ１から辺５０ａとＣＣＤ素子２６ｂによって読み取られる光との接点Ｔ２までの距離Ｘａ（ｍｍ）が算出される。
【００６０】
なお、図６（ｂ）に示すように、実際には辺４８ａとＣＣＤ素子２６ｂの読み取り位置とが完全に平行となるようにフィルムキャリア１４（フォーカスチャートＦＣ）とラインＣＣＤセンサ２６とを配置することは難しい。厳密には寸法ＧＬａを用いて距離Ｘａを算出すべきであるが、寸法ＧＬａと寸法ＧＬａ１との差は微小であるので、寸法ＧＬａと寸法ＧＬａ１とは等しく算出した距離Ｘａに影響はないとみなすことができる。
【００６１】
同様に、三角形孔４４ｂを用いて、図６（ａ）に示す距離Ｘｂ（ｍｍ）が算出される。そして、（距離Ｘａ＋距離Ｘｂ）÷２を計算することによって距離Ｘ（ｍｍ）が算出される。プレスキャン倍率において算出された距離Ｘは、プレスキャン倍率と関連付けられ距離Ｘｐとしてシステム制御部３２のＨＤＤに記憶され、フォーカス調整が終了する。
【００６２】
ステップＳ１〜Ｓ１１までの処理をフィルムＦとして１３５フィルムからコマ画像を読み取る際に用いる全ての本スキャン倍率（表１参照）ついても行う。このとき算出した距離Ｘは、本スキャン倍率にそれぞれ関連付られ、距離Ｘｎとしてシステム制御部３２のＨＤＤに記憶される。
【００６３】
なお、フォーカス調整はいずれの倍率から行ってもよいが、最初のフォーカス調整以降のフォーカス調整でステップＳ５の処理を行った場合、それまでに算出した距離Ｘが無効となってしまう。このため、ステップＳ５の処理を行ったフォーカス調整が「最初のフォーカス調整」となり、当該「最初のフォーカス調整」に用いた倍率以外の倍率について再びフォーカス調整が行われる。
【００６４】
このようなフォーカス調整をフィルムスキャナ１０に取り付け可能な各フィルムキャリア１４毎に、読み取りに際して用いられるズームレンズ２２ａの全ての倍率について行う。
【００６５】
ついで、図７を参照して、フォーカス調整が完了したフィルムスキャナ１０によるプレスキャンおよび本スキャン動作について説明する。
フィルムスキャナ１０では、フォーカス調整の際に算出した距離Ｘｐと距離Ｘｎとを用いて、プレスキャンによって読み取る画像（プレスキャン画像５６：図８（ａ）参照）に対して本スキャンによって読み取る画像（本スキャン画像５８ａ，５８ｂ：図８（ｂ）および図８（ｃ）参照）に生じる矢印Ａ方向のずれを補正する。
【００６６】
なお、ここでは、プレスキャン画像５６に対して本スキャン画像５８ａ，５８ｂに矢印Ｂ方向のずれは生じないものとし、矢印Ｂ方向のずれの補正についてはその説明を省略する。
【００６７】
まず、フィルムキャリア１４上をフィルムＦが矢印Ａ方向に搬送され、プレスキャンが行われる（ステップＳ１０１）。
ステップＳ１０１の処理では、フィルムＦに形成された全てのコマ画像についてプレスキャンが行われる。そして、プレスキャンによって読み取られた、たとえば、図８（ａ）に示すようなプレスキャン画像５６が表示部３４に表示される。
【００６８】
つづいて、本スキャンを行う際のズームレンズ２２ａの倍率の設定や、図８（ａ）に示すように、プレスキャン画像５６を用いて読み取り領域６０の設定等が行われる（ステップＳ１０３）、つづいて、補正が必要か否かが判断される（ステップＳ１０５）。
【００６９】
ステップＳ１０３でプレスキャンと本スキャンとでズームレンズ２２ａの倍率を変更する設定がなされている場合、ステップＳ１０５において補正が必要と判断され、つづいて補正量の算出（ステップＳ１０７）が行われる。
【００７０】
ステップＳ１０７の処理では、取り付けられているフィルムキャリア１４（コマ画像の読み取りを行うフィルムＦ）のプレスキャン倍率に関連付けられた距離ＸｐとステップＳ１０３で設定された本スキャン倍率に関連付けられた距離Ｘｎとを読み出し、距離Ｘｎ−距離Ｘｐを計算することによってずれ量Ｃａ（ｍｍ）が算出される。
【００７１】
なお、ずれ量Ｃａの範囲は、たとえば−０．１ｍｍ〜＋０．１ｍｍとされる。ずれ量Ｃａがマイナの範囲外となった場合、ずれ量Ｃａは−０．１ｍｍとみなされる。また、ずれ量Ｃａがプラスの範囲外となった場合、ずれ量Ｃａは＋０．１ｍｍとみなされる。
【００７２】
つづいて、算出したずれ量Ｃａが０でない場合（ステップＳ１０９の判断においてＮＯの場合）、ラインＣＣＤセンサ２６の読み取り開始のタイミングが補正（ステップＳ１１１）される。
【００７３】
具体的に、図８（ａ）および図８（ｂ）に示すように、算出したずれ量Ｃａの値がプラスとなる場合、ステップＳ１０３の処理において設定した読み取り領域６０内の画像６２の中心に対して本スキャン画像５８ａ内の画像６２ａの中心は矢印Ａ方向にずれ量Ｃａ分だけずれることとなる。この場合、ステップＳ１１１の処理では、プラスのずれ量Ｃａに応じてラインＣＣＤセンサ２６による読み取り開始タイミングが遅くなるように、言い換えればフィルムＦ上の読み取り開始位置がプレスキャンと本スキャンとで同一となるように補正する。
【００７４】
また、図８（ａ）および図８（ｃ）に示すように、算出したずれ量Ｃａの値がマイナスとなる場合、ステップＳ１０３の処理において設定した読み取り領域６０内の画像６２の中心に対して本スキャン画像５８ｂ内の画像６２ｂの中心は矢印Ａ方向と反対方向にずれ量Ｃａ分だけずれることとなる。この場合、ステップＳ１１１の処理では、マイナスのずれ量Ｃａに応じてラインＣＣＤセンサ２６による読み取り開始タイミングが早くなるように、言い換えればフィルムＦ上の読み取り開始位置がプレスキャンと本スキャンとで同一となるように補正する。
【００７５】
そして、ステップＳ１１１の処理で補正された読み取り開始タイミングに基づいて、ステップＳ１０３で設定した読み取り領域６０についてフィルムＦの本スキャンが開始される（ステップＳ１１３）。その後、ＣＣＤユニット２４から出力された画像データ（本スキャン画像データ）は、たとえばデータ書き込み装置３６によってデータ記憶媒体３８に書き込まれ本スキャンが終了する。
【００７６】
また、ステップＳ１０５の判断において、読み取り開始タイミングの補正をする必要がない場合、具体的にはプレスキャン倍率で本スキャンを行う場合、予め定められた所定の読み取り開始タイミングでステップＳ１１３へと移る。
同様に、ステップＳ１０９の判断において、ずれ量Ｃａが０の場合についても、予め定められた所定の読み取り開始タイミングでステップＳ１１３へと移る。
【００７７】
上述のプレスキャンおよび本スキャン動作では、プレスキャン画像５６に対して本スキャン画像５８ａ，５８ｂに生じる矢印Ｂ方向のずれの補正については説明を省略したが、矢印Ｂ方向のずれがある場合には、プレスキャンの光軸Ｌと本スキャンの光軸Ｌとの矢印Ｂ方向のずれ量を予めシステム制御部３２のＨＤＤに記憶させておき、当該ずれ量に基づいて矢印Ｂ方向の読み取り位置を調整してステップＳ１１３の処理を行うことでプレスキャン画像５６に対して本スキャン画像５８ａ，５９ｂに生じる矢印Ｂ方向のずれが補正（エリア登録補正）される。
【００７８】
なお、フィルムＦに形成された１つのコマ画像毎にプレスキャンと本スキャンとを行うようにしてもよい。
【００７９】
また、プレスキャンと同領域でフィルムＦの本スキャンを行い、当該本スキャンによって読み取った本スキャン画像にプレスキャン画像５６を用いて設定した読み取り領域６０の範囲でトリミングを施すようにしてもよい。
【００８０】
また、フィルムＦとして１２０フィルムからコマ画像を読み取る場合は、プレスキャン倍率以外の倍率で本スキャンを行うことはないので（表１参照）、ステップＳ１０５〜Ｓ１１１の処理は行わないようにしてもよい。
【００８１】
また、予め算出したずれ量Ｃａをテーブルデータとしてシステム制御部３２のＨＤＤに記憶させておき、プレスキャンと本スキャンとでズームレンズ２２ａの倍率を変更する場合に対応するずれ量Ｃａを読み出すようにしてもよい。
【００８２】
このようなフィルムスキャナ１０によれば、プレスキャンと本スキャンとでズームレンズ２２ａの倍率を変更しても、ラインＣＣＤセンサ２６の読み取り開始タイミングを補正し、プレスキャン画像５６で設定した読み取り領域６０に対して本スキャン画像５８ａ，５８ｂに矢印Ａ方向のずれが生じることなく、高品質に画像を読み取ることができる。
【００８３】
また、ズームレンズ２２ａによってラインＣＣＤセンサ２６上に与える像（光）の光軸Ｌは、プレスキャン倍率と本スキャン倍率とで矢印Ａ方向について厳密に一致していなくてもよく、ズーム機構２２ｂの動作精度を緩和できる。
【００８４】
さらに、フィルムＦの矢印Ａ方向の位置を検出するセンサ等を用いずとも、フォーカス調整の際に算出した距離Ｘｐと距離Ｘｎとを用いてずれ量Ｃａを算出し、読み取り開始タイミングを補正するので、フィルムスキャナ１０の構成を複雑にすることもない。
【００８５】
なお、上述の実施形態ではフィルムＦを搬送しつつ画像を読み取るフィルムスキャナ１０について説明したが、この発明はズームレンズ２２ａの倍率を変更させてプレスキャンと本スキャンを行うフィルムスキャナであればいずれのフィルムスキャナにも適用できる。たとえば、フィルムＦに対して光源部１２とレンズユニット２２とＣＣＤユニット２４とを移動させるフィルムスキャナにも適用できる。
【００８６】
また、この発明の画像読取装置によって画像が読み取られる被露光媒体は写真用のフィルムに限定されない。被露光媒体としては、たとえばプラスチックフィルム等であってもよい。
【図面の簡単な説明】
【００８７】
【図１】この発明が適用されるフィルムスキャナの一例を示すブロック図である。
【図２】図１のフィルムスキャナに取り付けられるフィルムキャリアとフィルムキャリアに配置されるフィルムおよびフォーカスチャートとの一例を示す斜視図である。
【図３】図１のフィルムスキャナのフォーカス調整時に用いられるフォーカスチャートの一例を示す平面図である。
【図４】図１のフィルムスキャナのフォーカス調整における動作の一例を示すフロー図である。
【図５】結像状態を確認するために表示部に表示されるグラフの一例を示す図解図である。
【図６】フォーカスチャートの三角形孔とＣＣＤ素子の読み取り位置とを示す図解図であり、（ａ）は２つの三角形孔とＣＣＤ素子の読み取り位置とを示し、（ｂ）は１つの三角形孔とＣＣＤ素子の読み取り位置とを示す。
【図７】図１のフィルムスキャナのプレスキャンおよび本スキャン動作の一例を示すフロー図である。
【図８】フィルムスキャナによって読み取られる画像の一例を示す図解図であり、（ａ）はプレスキャン画像を示し、（ｂ）は読み取り開始のタイミングが早い場合の本スキャン画像を示し、（ｃ）は読み取り開始のタイミングが遅い場合の本スキャン画像を示す。
【図９】プレスキャンと本スキャンとでズームレンズの倍率を変更した場合に生じる光軸のずれを示す図解図である。
【図１０】プレスキャン画像と本スキャン画像との副走査方向のずれを示す図解図である。
【図１１】読み取り領域内の補正位置とトリミング領域内の補正位置との副走査方向のずれを示す図解図である。
【符号の説明】
【００８８】
１０      フィルムスキャナ
１２      光源部
１４      フィルムキャリア
１８      スリット
２２      レンズユニット
２２ａ      ズームレンズ
２２ｂ      ズーム機構
２４      ＣＣＤユニット
２６      ラインＣＣＤセンサ
３２      システム制御部
Ｆ      フィルム
ＦＣ    フォーカスチャート
【図１】
2005252751.tif 000004
【図２】
2005252751.tif 000005
【図３】
2005252751.tif 000006
【図４】
2005252751.tif 000007
【図５】
2005252751.tif 000008
【図６】
2005252751.tif 000009
【図７】
2005252751.tif 000010
【図８】
2005252751.tif 000011
【図９】
2005252751.tif 000012
【図１０】
2005252751.tif 000013
【図１１】
2005252751.tif 000014